(57)【特許請求の範囲】
【請求項１】
基枠（１）の内部両側に対向状態に設けた１対の案内レール（２）の案内のもとに、プリント基板（３）を挿抜自在に挿入し、かつプリント基板（３）の外方隅角部に挿抜用のカードプラ（６）を設けてこのカードプラ（６）に対する操作により、プリント基板（３）を挿入あるいは引き抜くようにした型式のプリント基板の係脱装置であって、前記カードプラ（６）として、摺動方向の長孔（７）付きの１対の脚片（８）が形成された基部（９）と、先端に掛爪（１０）があり基部（９）から外側方に互いに平行に延びる１対の弾性腕（１１）とを備えたカードプラ（６）を採択し、このカードプラ（６）をプリント基板（３）の外方隅角部に基部（９）における長孔（７）においてピン（１３）により摺動可能に取り付けると共に、基枠（１）には前記カードプラ（６）の外側方への進出状態において、弾性腕（１１）の掛爪（１０）と係合する外向き受部（１５）と弾性腕（１１）の端部が係合する内向き受部（１６）とを設けたことを特徴とするプリント基板の係脱装置。
【請求項２】
弾性腕（１１）の先端付近に外方に突出する離脱用ノブ（１２）を設けた請求項１記載のプリント基板の係脱装置。
【請求項３】
カードプラ（６）の脚片（８）に突起（１７）を外側方向に設けると共に、これに対して基枠（１）には内向き受部（１８）を設けた請求項１または請求項２記載のプリント基板の係脱装置。
【発明の詳細な説明】
【０００１】
【発明の属する技術分野】
本発明は、通信機器その他の電機装置の筐体内に設けるプリント配線板（この明細書においてはプリント基板という）の実装構造における係脱装置に関するものである。
【０００２】
【従来の技術】
プリント基板を電機装置に実装する構造として、例えば図６のように、基枠Ａの内部両側に対向状態に設けた１対の案内レールＢの案内のもとに、プリント基板Ｃを挿抜自在に挿入すると共に、基枠Ａの底部における基枠側コネクタＤにプリント基板側コネクタＥを嵌合し、かつプリント基板Ａの外方隅角部に挿抜専用のいわゆるカードプラＦを枢着してこのカードプラＦに対する操作により、プリント基板Ａを挿入あるいは引き抜くようにしており、なお、振動または衝撃によりコネクタＥとＦとの嵌合状態が不安定になる場合があるから、プリント基板Ａの外れ止めの方策として、格別な抜け止め部品ＧあるいはＨをねじＩにより基枠Ａに取り付けるのが普通である。
【０００３】
また図７のように、格別な抜け止め部品をねじにより取り付けることなく、カードプラＦにストッパＪを突設すると共に、このストッパＪが基枠Ａにおけるストッパ溝Ｋに常時係合し易い傾向のもとにカードプラＦにばねＬを設け、プリント基板Ｃの挿入状態においては、ストッパＪをストッパ溝Ｋに係合させてプリント基板Ｃの脱落を防止するようにした先行技術が、特開平−１７７５５８公報により発表されている。
【０００４】
【発明が解決しようとする課題】
上記従来の技術における前者、即ち抜け止め部品ＧあるいはＨをねじＩにより基枠Ａに取り付ける構造は、プリント基板の取り付け並びに取り外しのための作業効率が著しく低いばかりでなく、格別な抜け止め部品を必要とし、また、後者即ちストッパＪ付きのカードプラＦをばねＬにより付勢してストッパＪを基枠Ａにおけるストッパ溝Ｋに係合させる構造は、プリント基板の取り付け並びに取り外しの作業効率は向上するが、カードプラ以外に別個のばねを必要とするほか、ばね力の劣化により機能が低下する不利がある。
【０００５】
そこで本発明の目的は、抜け止め部品あるいはばね等の格別な部品を使用することなく、簡単な構成のもとに、プリント基板の挿抜並びに安定的実装が可能な係脱装置を提供することにある。
【０００６】
【課題を解決するための手段】
本発明は上記目的を達成するため、プリント基板の両端隅角部に設けるカードプラを案内レールに対して直交する側方へ摺動可能に設けると共に、このカードプラには先端に掛爪がある一対の弾性腕を外側方へ延設し、これに対して基枠にはカードプラが外側方に進出した場合に掛爪が係合する外向き受部と弾性腕が係合する内向き受部とを設け、なお両弾性腕の先端付近には離脱用ノブを設けるのがよい。
【０００７】
上記構成により、両カードプラを内方へ退没させた状態でプリント基板を案内レールに沿って基枠に挿入した後、両カードプラを外側方へ摺動することにより、カードプラの掛爪は基枠の受部に掛止されてプリント基板の外方への離脱が防止され、なおカードプラの両離脱用ノブを指頭により挟圧しつつカードプラを内方へ摺動することにより、掛爪が外向き受部から離脱された後、弾性腕端部は内向き受部から離脱し、プリント基板を外方へ引き抜くことができる。
【０００８】
【発明の実施の形態】
以下、本発明を図面に示す実施形態について説明する。
本発明の適用対象としてのプリント基板の係脱装置としては、例えば図１のように、基枠１の内部両側に対向状態に設けた１対の案内レール２の案内のもとに、プリント基板３を挿抜自在に挿入すると共に、基枠１の底部における基枠側コネクタ４にプリント基板側コネクタ５を嵌合し、かつプリント基板３の外方隅角部に挿抜用のカードプラ６を設けてこのカードプラ６に対する操作により、プリント基板３を挿入あるいは引き抜くようにし、なお、振動または衝撃によりコネクタ４と５とが外れる場合の防止策を講じるようにした型式を採択する。
【０００９】
上記型式に対する本発明の特殊構成としては、先ずカードプラ６としては、図１ないし図４に示すように、摺動方向の長孔７付きの１対の脚片８が形成されたコ字状断面の基部９と、先端に掛爪１０があり基部９から外側方に互いに平行に延びる１対の弾性腕１１と、弾性腕１１の先端付近に外方に突出する離脱用ノブ１２とを備え、このようなカードプラ６をその基部９がプリント基板３の外方隅角部に跨る状態のもとに、長孔７においてピン１３により取り付けてカードプラ６が摺動により側方へ進退することができるようにする。
【００１０】
基枠１には前記カードプラ６における弾性腕１１の先端の挿入に適応する受孔１４を穿設することにより、掛爪１０との係合に適応する外向き受部１５と弾性腕１１の端部が係合する内向き受部１６とを設ける。
【００１１】
上記構成により、プリント基板３を基枠１に挿入する場合には、カードプラ６を図３のようにプリント基板３の中央方向へ後退させたままプリント基板３を矢印ａ方向へ挿入して基枠側コネクタ４にプリント基板側コネクタ５を嵌合した後、カードプラ６を図３の矢印ｂの方向に外側方へ進出することにより、両弾性腕１１を自体の弾性に抗して接近した状態のもとに、図１および図２のように弾性腕１１の先端を受孔１４に挿入して端部を内向き受部１６に係合すると同時に、掛爪１０を外向き受部１５に係合させ、これによりカードプラ６を後退しない状態に保持し、従ってプリント基板３は両カードプラ６の突っ張り作用により固定される。
【００１２】
なお、プリント基板３を引き抜く場合には、カードプラ６における両弾性腕１１を指頭により摘んで挟圧し、あるいは両離脱用ノブ１２を指頭により摘んで挟圧したまま、内方へ後退させることにより、両弾性腕１１は挟圧されて掛爪１０が外向き受部１５から外れると同時に、両弾性腕１１も内向き受部１６から外れるから、係合が解除された後にカードプラ６を保持してプリント基板３を引き抜けばよい。
【００１３】
また図５のように、カードプラ６の脚片８に突起１７を外側方向に設けると共に、これに対して基枠１には受孔を穿設して内向き受部１８を設け、もって弾性腕１１の先端と内向き受部１６との係合による拘束以外に、突起１７と内向き受部１８との係合により、プリント基板３を一層確実に固定するようにするのがよい。
【００１４】
【発明の効果】
以上説明したように、本発明によれば、側方摺動型カードプラ６を採択し、かつカードプラ６には先端に掛爪１０がある一対の弾性腕１１を外側方へ延設し、このカードプラ６の外側方への進出により基枠１における外向き受部１５と内向き受部１６と係合させるようにしたことにより、抜け止め部品，ばね等の格別な部品を使用することなく、係脱作業の効率を向上した状態のもとに、プリント基板３の挿抜並びに安定的実装を容易に実現でき、また両弾性腕１１の先端付近に離脱用ノブ１２を設けることにより、作業効率を一層向上することができ、なおカードプラ６の脚片８に突起１７を外側方向に設けると共に、これに対して基枠１には内向き受部１８を設けたことにより、プリント基板３の一層確実な固定状態を得ることができる。
【図面の簡単な説明】
【図１】本発明のプリント基板の係脱装置の一実施形態を示す係合状態の縦断正面図である。
【図２】図１の係脱装置の要部を示す部分的横断平面図である。
【図３】図１の係脱装置の要部を示す係合過程の状態の縦断正面図である。
【図４】図１の係脱装置の要部を示す係合過程の状態の斜面図である。
【図５】本発明の別の実施形態の要部を示す係合状態の縦断正面図である。
【図６】従来の係脱装置を示す部分的縦断正面図である。
【図７】従来の他の係脱装置の要部を示す部分的縦断正面図である。
【符号の説明】
１  基枠
２  案内レール
３  プリント基板
６  カードプラ
７  長孔
８  脚片
９  基部
１０  掛爪
１１  弾性腕
１２  離脱用ノブ
１３  ピン
１５  外向き受部
１６  内向き受部
１７  突起
１８  内向き受部
【図１】
0003689156.tif 000002
【図２】
0003689156.tif 000003
【図３】
0003689156.tif 000004
【図４】
0003689156.tif 000005
【図５】
0003689156.tif 000006
【図６】
0003689156.tif 000007
【図７】
0003689156.tif 000008